(57)【要約】      （修正有）【課題】浴室の改修工事において、グレーチングの設置を簡単かつ迅速に行うことができる浴室改修用グレーチングの設置装置を提供する。【解決手段】浴室改修として、浴室床の排水孔の上方にグレーチングを洗い場床のレベルと合わせて設置する場合において、アングル材１０により矩形に枠組んだグレーチング受枠９に長ナット１２を下向きに突設し、この長ナットにボルトによるネジ脚１７を螺合させて高さ調整可能とした。【選択図】図１
0003225835.tif 000002
【実用新案登録請求の範囲】
【請求項１】
浴室改修として、浴室床の排水孔の上方にグレーチングを洗い場床のレベルと合わせて設置する場合において、アングル材により矩形に枠組んだグレーチング受枠に長ナットを下向きに突設し、この長ナットにボルトによるネジ脚を螺合させて高さ調整可能としたことを特徴とする浴室改修用グレーチングの設置構造。
【請求項２】
ボルトによるネジ脚上端にマイナスドライバー用スリットを形成し、長ナットに連通するグレーチング受枠の孔からドライバーを差し込み可能とした請求項１記載の浴室改修用グレーチングの設置構造。
【請求項３】
壁との隙間塞ぎ用調整板をグレーチング受枠からスライド可能に突出させた請求項１または請求項２記載の浴室改修用グレーチングの設置構造。
【考案の詳細な説明】
【技術分野】
【０００１】
本考案は、浴室を改修する際に設置する浴室改修用グレーチングの設置構造に関するものである。
【背景技術】
【０００２】
マンション、一般住宅等に設置された浴室１はその１例として、図１１、図１２に示すように、コンクリート製の建築物躯体２をコンクリート防水下地７としてその上にアスファルト等による防水層３を形成するとともに、浴室の一画を浴槽載置場４とし、他方の一画にはタイル２３を貼って洗い場５とし、壁６にもタイルを貼っている。
【０００３】
図中１４は既設浴槽、４４は既設浴槽１４の排水口で、浴槽載置場４に形成した４個の浴槽架台８上に載置・固定される。
【０００４】
浴室の改修や改装は、浴室内の湯水栓、ガス栓、換気扇等の末端機器を外し、既設浴槽１４を除き、排水口、点検口、ドア、額縁、沓摺り等を外し、床面、壁のタイルのはつり作業（削る作業）及びモルタルのはつり作業を行った後、再び、床面、壁、沓摺り裏面、排水口周囲の防水工事を行い、床にモルタルとともにタイルを貼り、壁にタイルを貼り、新しい浴槽を設置して浴室を復元させる。
【０００５】
この他にも周りの壁・天井・床が一体になっている風呂であるユニットバスに交換する方法、塗料による再塗装を行う方法、既存の壁面および天井面に、陶磁器製、ガラス製のセラミックスのタイルや、ＦＲＰ製パネルなどの硬質樹脂製パネルなどを接着剤で新たに貼設する方法などある。
【０００６】
また、出願人は先に浴室の改装用防水床の施工法として下記特許文献に示すものを提案し、特許を取得した。
【特許文献１】特開２０１７−１６０５９７号公報
【０００７】
これは図示は省略するが、洗い場床となる平坦部及び前記平坦部に連なる側壁部とを有し、これら平坦部及び側壁部には、既設浴室の排水口に対応する部位に連なる方形の切欠き部が設けられ、前記切欠き部には排水枡を形成するように排水口に合わせて３面からなる平面視コ字状の排水枡用立壁が形成され、平坦部の切欠き部には目皿を載置する受け部が形成されている浴室の改装用防水床の施工法であり、前記洗い場床となる平坦部及び側壁部は、主剤と硬化剤の組合せで専用の機械にて別々に加温しながらホース圧送してホース先端にて混合、攪拌して吹付けにより成形品としたウレタン成形シートを表面仕上げ材としてコンクリート下地に接着剤で貼付けて形成し、排水枡用立壁はウレタン成形シートによる型材の内側にウレタン樹脂を充填して既設コンクリートの切欠き部分を狭めるものとして形成する。
【０００８】
グレーチング（ＧＲＡＴＩＮＧ）とは側溝の蓋の意味であり、［格子・スノコ］と訳されているが、グレーチングの基本的な機能は速やかな排水を促すために、蓋をすることにより水だけが流れ、人や物の落下を防ぐものあり、浴室にも使用される。
【０００９】
下記特許文献は浴室ではなく、道路の側溝や建物の排水溝を施工する際に使用するグレーチング支持具及び排水溝据付工法として提案されたものであるが、図１３に示すように、グレーチング支持具１０１は、平板を折曲し、上面に外端を下方に形成した天板１０２ａを、その内端下方水平方向にグレーチング係止部１０２ｂを形成すると共に、垂直方向に連設する保持部１０２ｃを設けた２枚の支持板１０２の下部に所要間隔にて、ボルトＢ・ナットＮで固定して成る台座１０３を設けてある。
【特許文献２】特開２０１７−２６９４号公報
【００１０】
また２枚の支持板１０２のグレーチング係止部１０２ｂ・１０２ｂ間に、ボルトＢ１・ナットＮ１にて着脱自在な断面Ｌ字形平板状の幅保持板１０４を設けてある。なお、必要に応じてグレーチング係止部１０２ｂの下面にアンカーａを突設してもよい。
【００１１】
グレーチング支持具１０１を使用しての排水溝据付工法は、
１）、捨てコンＳＴ打設時において、ベースアンカーＢＡの下部板ＫＢの天端Ｔが見えるように所要間隔にて施工し、ベースアンカーＢＡのアンカーボルトＡＢ・ＡＢ間に、グレーチング支持具１を載置する長孔（図示せず）を穿設した上部板ＺＢを予め取り付けておき、ナットＮＴ―――にて仮止めする第１工程。
２）、上部板ＺＢ上に、グレーチング支持具１０１をボルトＢ・ナットＮを外し、長孔を介して固定し、コンクリート仕上げのレベル出しＲを行うべく、各ナットＮにて上下調整Ｚを行う第２工程。
３）、グレーチング支持具１０１の水平方向のレベル調整を行うべく、各ナットＮにて水平調整Ｓを行う第３工程。
４）、ベースアンカーＢＡ周囲に補強用の配筋Ｈを行い、舗装コンクリートＫを打設し、天板１０２ａに沿って仕上げを行う第４工程。
５）、幅保持板１０４をナットＮ・Ｎ１を緩めて取り外し、グレーチング支持具１０１の内側底面に水勾配Ｍを施工する第５工程。
６）、グレーチング係止部１０２ｂ・１０２ｂ間にボルト固定用のグレーチングＧをボルトＢ１・ナットＮ１にて配置・固定する第６工程からなる。
【考案の概要】
【考案が解決しようとする課題】
【００１２】
浴室の改修においては、床の排水孔部分の改修も行われるが、例えばバリアフリーに近づけるため洗い場の床を嵩上げする際には、排水孔上方にグレーチングを設置することが望まれる。
【００１３】
かかる排水孔上方のグレーチングを設置はグレーチング自体の支持構造や設置の際の位置合わせ、高さ合わせ等で手間のかかる面倒な作業となる。
【００１４】
前記特許文献１は浴室の改修に関するものであるがグレーチングを設置については記載されておらず、特許文献２はグレーチング支持具に関するものであるが、浴室に設置するグレーチングに関するものではない。
【００１５】
本考案の目的は前記従来例の不都合を解消し、浴室の改修工事において、グレーチングの設置を簡単かつ迅速に行うことができる浴室改修用グレーチングの設置構造を提供することにある。
【課題を解決するための手段】
【００１６】
前記目的を達成するため請求項１記載の本考案は、浴室改修として、浴室床の排水孔の上方にグレーチングを洗い場床のレベルと合わせて設置する場合において、アングル材により矩形に枠組んだグレーチング受枠に長ナットを下向きに突設し、この長ナットにボルトによるネジ脚を螺合させて高さ調整可能に設けたことを要旨とするものである。
【００１７】
請求項１記載の本考案によれば、グレーチング受枠を置き、その上にグレーチングをセットするだけで、グレーチングの設置が可能となる。また、グレーチングはその受枠がボルトによるネジ脚（４本）で支えられるので、他の受けなしに支承することができる。
【００１８】
さらに、グレーチングを設置する際の高さ調整はボルトによるネジ脚の長ナットに対する螺合長さを変えることで簡単に行うことができる。
【００１９】
ボルトによるネジ脚上端にマイナスドライバー用スリットを形成し、長ナットに連通するグレーチング受枠の孔からドライバーを差し込み可能とした
【００２０】
請求項２記載の本考案は、ボルトによるネジ脚上端にマイナスドライバー用スリットを形成し、長ナットに連通するグレーチング受枠の孔からドライバーを差し込み可能としたことを要旨とするものである。
【００２１】
請求項２記載の本考案によれば、グレーチングを設置する際の高さ調整はボルトによるネジ脚の長ナットに対する螺合長さを変えるのをグレーチング受枠を設置した後でマイナスドライバーにより上から行うことができる。
【００２２】
請求項３記載の本考案は、壁との隙間塞ぎ用調整板をグレーチング受枠からスライド可能に突出させたことを要旨とするもの
【００２３】
請求項３記載の本考案によれば、グレーチング受枠と壁との隙間を調整板により簡単に塞ぐことができ、しかも、この調整板はグレーチング受枠からスライド可能に突出できるので、容易にその幅を調整できる。
【考案の効果】
【００２４】
以上述べたように本考案の浴室改修用グレーチングの設置構造は、浴室の改修工事において、グレーチングの設置を簡単かつ迅速に行うことができるものである。
【図面の簡単な説明】
【００２５】
【図１】本考案の浴室改修用グレーチングの設置構造で使用するグレーチング受枠の裏側から見た斜視図である。
【図２】本考案の浴室改修用グレーチングの設置構造で使用するグレーチング受枠の断面図である。
【図３】本考案の浴室改修用グレーチングの設置構造で使用するグレーチング受枠の設置状態を示す斜視図である。
【図４】本考案の浴室改修用グレーチングの設置構造で使用するグレーチングの平面図である。
【図５】本考案の浴室改修用グレーチングの設置構造の１実施形態を示す縦断側面図である。
【図６】本考案の浴室改修用グレーチングの設置構造で使用するグレーチング受枠の設置の高さ調整を示す斜視図である。
【図７】本考案の浴室改修用グレーチングの設置構造で使用するグレーチング受枠の設置の壁との幅調整を示す斜視図である。
【図８】本考案の浴室改修用グレーチングの設置構造の他の実施形態を示す縦断側面図である。
【図９】本考案の浴室改修用グレーチングの設置構造で使用するグレーチング受枠の設置の壁との幅調整の他例を示す斜視図である。
【図１０】隙間塞ぎ用調整板を引き出した状態の斜視図である。
【図１１】浴室の一例を示す平面図である。
【図１２】浴室の一例を示す断面図である。
【図１３】グレーチング支持具の一例を示す側面図である。
【考案を実施するための形態】
【００２６】
以下、図面について本考案の実施の形態を詳細に説明する。図１は本考案の浴室改修用グレーチングの設置構造で使用するグレーチング受枠の裏側から見た斜視図で、図中９はステンレスもしくはアルミ合金または鋼材のアングル材１０により矩形に枠組んだグレーチング受枠である。
【００２７】
図２に示すように、アングル材１０は縦フランジを対向させ、横フランジを内側に向けたもので、後述するグレーチング１６を収める。
【００２８】
該グレーチング受枠９の横フランジの裏側に長ナット１２を下向きに突設した。長ナット１２は溶接によりグレーチング受枠９のコーナーもしくはコーナー近くに計４個を設ける。
【００２９】
グレーチング受枠９で該長ナット１２の取付部分には開口としての孔１３を設け、この孔１３から長ナット１２にドライバー１５を差し込めるようにした。
【００３０】
図中１７は長ナット１２に螺合させるボルトによるネジ脚で、ボルト頭部１７ａを下にする。
【００３１】
長ナット１２にネジ脚１７を螺入れることで、長さ調節可能にネジ脚１７をグレーチング受枠９に設けることができるが、その固定としてナット２５をネジ脚１７に設ける。
【００３２】
また、図示は省略するが、前記ボルトによるネジ脚１７の上端（ボルト頭部１７ａとは反対側にマイナスドライバー用スリットを形成した。
【００３３】
グレーチング受枠９の下側に横コ字形のクリップ金具１９を取り付け、このクリップ金具１９に挟み込んで壁２０との隙間塞ぎ用調整板１８をグレーチング受枠９からスライド可能に突出させた。隙間塞ぎ用調整板１８はアルミ板による。
【００３４】
図９、図１０は隙間塞ぎ用調整板１８をグレーチング受枠９からスライド可能に突出させる他の方法を示すもので、グレーチング受枠９の横フランジに長孔によるルーズホール２７を形成し、グレーチング受枠９の下側に合わせる隙間塞ぎ用調整板１８にもボルト挿通孔を形成してボルト・ナット２８で締結する。
【００３５】
ボルト・ナット２８を緩めれば、ルーズホール２７の長さ分だけ、隙間塞ぎ用調整板１８を突出させることができるので、適宜な幅の所で再度固定すればよい。
【００３６】
次に使用法について説明する。浴室の改修として、床を嵩上げし、タイル２１を施す。
【００３７】
浴室の排水口１１の上方にはグレーチング１６をこのタイル２１の床の高さに合わせて設置するが、グレーチング１６の設置に際してグレーチング受枠９を配設し、このグレーチング受枠９にグレーチング１６を収める。
【００３８】
グレーチング受枠９はボルトによるネジ脚１７（４本）で支えるようにして置けばよい。
【００３９】
そしてその高さ調整はボルトによるネジ脚１７の長ナット１２に対する螺合長さを変えることで簡単に行うことができる。
【００４０】
なお、ボルトによるネジ脚１７の上端にマイナスドライバー用スリットを形成した場合には、グレーチング１６を設置する際の高さ調整は図６に示すようにグレーチング受枠９を設置した後でマイナスドライバー２６により上から行うことができる。
【００４１】
また、壁２０との隙間は図５に示すように隙間塞ぎ用調整板１８を引き出してこれで塞ぎ、その上に調整用の木材２２を置き、タイル２１を載せて、周囲と合わせる。
【００４２】
グレーチング受枠９の周囲等は目地としてタイル目地と同様の仕上を行う。
【００４３】
図８は応用例を示すもので、袖板２４をグレーチング受枠９に設け、これでグレーチング受枠９の下方の周囲を閉鎖することもできる。
【符号の説明】
【００４４】
１…浴室                      ２…建築物躯体
３…防水層                    ４…浴槽載置場
５…洗い場                    ６…壁
７…コンクリート防水下地      ８…浴槽架台
９…グレーチング受枠          １０…アングル材
１１…浴室の排水口            １２…長ナット
１３…孔                      １４…既設浴槽
１５…ドライバー              １６…グレーチング
１７…ボルトによるネジ脚      １７ａ…ボルト頭部
１８…調整板                  １９…クリップ金具
２０…壁                      ２１…タイル
２２…木材                    ２３…タイル
２４…袖板                    ２５…ナット
２６…マイナスドライバー      ２７…ルーズホール
２８…ボルト・ナット
４３…タイル                  ４４…排水口
１０１…グレーチング支持具    
１０２…支持板
１０２ａ…天板
１０２ｂ…グレーチング係止部
１０２ｃ…保持部          １０３…台座
１０４…幅保持板
【図１】
0003225835.tif 000003
【図２】
0003225835.tif 000004
【図３】
0003225835.tif 000005
【図４】
0003225835.tif 000006
【図５】
0003225835.tif 000007
【図６】
0003225835.tif 000008
【図７】
0003225835.tif 000009
【図８】
0003225835.tif 000010
【図９】
0003225835.tif 000011
【図１０】
0003225835.tif 000012
【図１１】
0003225835.tif 000013
【図１２】
0003225835.tif 000014
【図１３】
0003225835.tif 000015
【手続補正書】
【提出日】令和2年1月31日(2020.1.31)
【手続補正１】
【補正対象書類名】明細書
【補正対象項目名】全文
【補正方法】変更
【補正の内容】
【考案の詳細な説明】
【技術分野】
【０００１】
本考案は、浴室を改修する際に設置する浴室改修用グレーチングの設置装置に関するものである。
【背景技術】
【０００２】
マンション、一般住宅等に設置された浴室１はその１例として、図１１、図１２に示すように、コンクリート製の建築物躯体２をコンクリート防水下地７としてその上にアスファルト等による防水層３を形成するとともに、浴室の一画を浴槽載置場４とし、他方の一画にはタイル２３を貼って洗い場５とし、壁６にもタイルを貼っている。
【０００３】
図中１４は既設浴槽、４４は既設浴槽１４の排水口で、浴槽載置場４に形成した４個の浴槽架台８上に載置・固定される。
【０００４】
浴室の改修や改装は、浴室内の湯水栓、ガス栓、換気扇等の末端機器を外し、既設浴槽１４を除き、排水口、点検口、ドア、額縁、沓摺り等を外し、床面、壁のタイルのはつり作業（削る作業）及びモルタルのはつり作業を行った後、再び、床面、壁、沓摺り裏面、排水口周囲の防水工事を行い、床にモルタルとともにタイルを貼り、壁にタイルを貼り、新しい浴槽を設置して浴室を復元させる。
【０００５】
この他にも周りの壁・天井・床が一体になっている風呂であるユニットバスに交換する方法、塗料による再塗装を行う方法、既存の壁面および天井面に、陶磁器製、ガラス製のセラミックスのタイルや、ＦＲＰ製パネルなどの硬質樹脂製パネルなどを接着剤で新たに貼設する方法などある。
【０００６】
また、出願人は先に浴室の改装用防水床の施工法として下記特許文献に示すものを提案し、特許を取得した。
【特許文献１】特開２０１７−１６０５９７号公報
【０００７】
これは図示は省略するが、洗い場床となる平坦部及び前記平坦部に連なる側壁部とを有し、これら平坦部及び側壁部には、既設浴室の排水口に対応する部位に連なる方形の切欠き部が設けられ、前記切欠き部には排水枡を形成するように排水口に合わせて３面からなる平面視コ字状の排水枡用立壁が形成され、平坦部の切欠き部には目皿を載置する受け部が形成されている浴室の改装用防水床の施工法であり、前記洗い場床となる平坦部及び側壁部は、主剤と硬化剤の組合せで専用の機械にて別々に加温しながらホース圧送してホース先端にて混合、攪拌して吹付けにより成形品としたウレタン成形シートを表面仕上げ材としてコンクリート下地に接着剤で貼付けて形成し、排水枡用立壁はウレタン成形シートによる型材の内側にウレタン樹脂を充填して既設コンクリートの切欠き部分を狭めるものとして形成する。
【０００８】
グレーチング（ＧＲＡＴＩＮＧ）とは側溝の蓋の意味であり、［格子・スノコ］と訳されているが、グレーチングの基本的な機能は速やかな排水を促すために、蓋をすることにより水だけが流れ、人や物の落下を防ぐものあり、浴室にも使用される。
【０００９】
下記特許文献は浴室ではなく、道路の側溝や建物の排水溝を施工する際に使用するグレーチング支持具及び排水溝据付工法として提案されたものであるが、図１３に示すように、グレーチング支持具１０１は、平板を折曲し、上面に外端を下方に形成した天板１０２ａを、その内端下方水平方向にグレーチング係止部１０２ｂを形成すると共に、垂直方向に連設する保持部１０２ｃを設けた２枚の支持板１０２の下部に所要間隔にて、ボルトＢ・ナットＮで固定して成る台座１０３を設けてある。
【特許文献２】特開２０１７−２６９４号公報
【００１０】
また２枚の支持板１０２のグレーチング係止部１０２ｂ・１０２ｂ間に、ボルトＢ１・ナットＮ１にて着脱自在な断面Ｌ字形平板状の幅保持板１０４を設けてある。なお、必要に応じてグレーチング係止部１０２ｂの下面にアンカーａを突設してもよい。
【００１１】
グレーチング支持具１０１を使用しての排水溝据付工法は、
１）、捨てコンＳＴ打設時において、ベースアンカーＢＡの下部板ＫＢの天端Ｔが見えるように所要間隔にて施工し、ベースアンカーＢＡのアンカーボルトＡＢ・ＡＢ間に、グレーチング支持具１を載置する長孔（図示せず）を穿設した上部板ＺＢを予め取り付けておき、ナットＮＴ―――にて仮止めする第１工程。
２）、上部板ＺＢ上に、グレーチング支持具１０１をボルトＢ・ナットＮを外し、長孔を介して固定し、コンクリート仕上げのレベル出しＲを行うべく、各ナットＮにて上下調整Ｚを行う第２工程。
３）、グレーチング支持具１０１の水平方向のレベル調整を行うべく、各ナットＮにて水平調整Ｓを行う第３工程。
４）、ベースアンカーＢＡ周囲に補強用の配筋Ｈを行い、舗装コンクリートＫを打設し、天板１０２ａに沿って仕上げを行う第４工程。
５）、幅保持板１０４をナットＮ・Ｎ１を緩めて取り外し、グレーチング支持具１０１の内側底面に水勾配Ｍを施工する第５工程。
６）、グレーチング係止部１０２ｂ・１０２ｂ間にボルト固定用のグレーチングＧをボルトＢ１・ナットＮ１にて配置・固定する第６工程からなる。
【考案の概要】
【考案が解決しようとする課題】
【００１２】
浴室の改修においては、床の排水孔部分の改修も行われるが、例えばバリアフリーに近づけるため洗い場の床を嵩上げする際には、排水孔上方にグレーチングを設置することが望まれる。
【００１３】
かかる排水孔上方のグレーチングを設置はグレーチング自体の支持構造や設置の際の位置合わせ、高さ合わせ等で手間のかかる面倒な作業となる。
【００１４】
前記特許文献１は浴室の改修に関するものであるがグレーチングを設置については記載されておらず、特許文献２はグレーチング支持具に関するものであるが、浴室に設置するグレーチングに関するものではない。
【００１５】
本考案の目的は前記従来例の不都合を解消し、浴室の改修工事において、グレーチングの設置を簡単かつ迅速に行うことができる浴室改修用グレーチングの設置装置を提供することにある。
【課題を解決するための手段】
【００１６】
前記目的を達成するため請求項１記載の本考案は、浴室改修として、浴室床の排水孔の上方にグレーチングを洗い場床のレベルと合わせて設置する場合において、アングル材により矩形に枠組んだグレーチング受枠に長ナットを下向きに突設し、この長ナットにボルトによるネジ脚を螺合させて高さ調整可能に設けたことを要旨とするものである。
【００１７】
請求項１記載の本考案によれば、グレーチング受枠を置き、その上にグレーチングをセットするだけで、グレーチングの設置が可能となる。また、グレーチングはその受枠がボルトによるネジ脚（４本）で支えられるので、他の受けなしに支承することができる。
【００１８】
さらに、グレーチングを設置する際の高さ調整はボルトによるネジ脚の長ナットに対する螺合長さを変えることで簡単に行うことができる。
【００１９】
ボルトによるネジ脚上端にマイナスドライバー用スリットを形成し、長ナットに連通するグレーチング受枠の孔からドライバーを差し込み可能とした
【００２０】
請求項２記載の本考案は、ボルトによるネジ脚上端にマイナスドライバー用スリットを形成し、長ナットに連通するグレーチング受枠の孔からドライバーを差し込み可能としたことを要旨とするものである。
【００２１】
請求項２記載の本考案によれば、グレーチングを設置する際の高さ調整はボルトによるネジ脚の長ナットに対する螺合長さを変えるのをグレーチング受枠を設置した後でマイナスドライバーにより上から行うことができる。
【００２２】
請求項３記載の本考案は、壁との隙間塞ぎ用調整板をグレーチング受枠からスライド可能に突出させたことを要旨とするもの
【００２３】
請求項３記載の本考案によれば、グレーチング受枠と壁との隙間を調整板により簡単に塞ぐことができ、しかも、この調整板はグレーチング受枠からスライド可能に突出できるので、容易にその幅を調整できる。
【考案の効果】
【００２４】
以上述べたように本考案の浴室改修用グレーチングの設置装置は、浴室の改修工事において、グレーチングの設置を簡単かつ迅速に行うことができるものである。
【図面の簡単な説明】
【００２５】
【図１】本考案の浴室改修用グレーチングの設置装置で使用するグレーチング受枠の裏側から見た斜視図である。
【図２】本考案の浴室改修用グレーチングの設置装置で使用するグレーチング受枠の断面図である。
【図３】本考案の浴室改修用グレーチングの設置装置で使用するグレーチング受枠の設置状態を示す斜視図である。
【図４】本考案の浴室改修用グレーチングの設置装置で使用するグレーチングの平面図である。
【図５】本考案の浴室改修用グレーチングの設置装置の１実施形態を示す縦断側面図である。
【図６】本考案の浴室改修用グレーチングの設置装置で使用するグレーチング受枠の設置の高さ調整を示す斜視図である。
【図７】本考案の浴室改修用グレーチングの設置装置で使用するグレーチング受枠の設置の壁との幅調整を示す斜視図である。
【図８】本考案の浴室改修用グレーチングの設置装置の他の実施形態を示す縦断側面図である。
【図９】本考案の浴室改修用グレーチングの設置装置で使用するグレーチング受枠の設置の壁との幅調整の他例を示す斜視図である。
【図１０】隙間塞ぎ用調整板を引き出した状態の斜視図である。
【図１１】浴室の一例を示す平面図である。
【図１２】浴室の一例を示す断面図である。
【図１３】グレーチング支持具の一例を示す側面図である。
【考案を実施するための形態】
【００２６】
以下、図面について本考案の実施の形態を詳細に説明する。図１は本考案の浴室改修用グレーチングの設置装置で使用するグレーチング受枠の裏側から見た斜視図で、図中９はステンレスもしくはアルミ合金または鋼材のアングル材１０により矩形に枠組んだグレーチング受枠である。
【００２７】
図２に示すように、アングル材１０は縦フランジを対向させ、横フランジを内側に向けたもので、後述するグレーチング１６を収める。
【００２８】
該グレーチング受枠９の横フランジの裏側に長ナット１２を下向きに突設した。長ナット１２は溶接によりグレーチング受枠９のコーナーもしくはコーナー近くに計４個を設ける。
【００２９】
グレーチング受枠９で該長ナット１２の取付部分には開口としての孔１３を設け、この孔１３から長ナット１２にドライバー１５を差し込めるようにした。
【００３０】
図中１７は長ナット１２に螺合させるボルトによるネジ脚で、ボルト頭部１７ａを下にする。
【００３１】
長ナット１２にネジ脚１７を螺入れることで、長さ調節可能にネジ脚１７をグレーチング受枠９に設けることができるが、その固定としてナット２５をネジ脚１７に設ける。
【００３２】
また、図示は省略するが、前記ボルトによるネジ脚１７の上端（ボルト頭部１７ａとは反対側にマイナスドライバー用スリットを形成した。
【００３３】
グレーチング受枠９の下側に横コ字形のクリップ金具１９を取り付け、このクリップ金具１９に挟み込んで壁２０との隙間塞ぎ用調整板１８をグレーチング受枠９からスライド可能に突出させた。隙間塞ぎ用調整板１８はアルミ板による。
【００３４】
図９、図１０は隙間塞ぎ用調整板１８をグレーチング受枠９からスライド可能に突出させる他の方法を示すもので、グレーチング受枠９の横フランジに長孔によるルーズホール２７を形成し、グレーチング受枠９の下側に合わせる隙間塞ぎ用調整板１８にもボルト挿通孔を形成してボルト・ナット２８で締結する。
【００３５】
ボルト・ナット２８を緩めれば、ルーズホール２７の長さ分だけ、隙間塞ぎ用調整板１８を突出させることができるので、適宜な幅の所で再度固定すればよい。
【００３６】
次に使用法について説明する。浴室の改修として、床を嵩上げし、タイル２１を施す。
【００３７】
浴室の排水口１１の上方にはグレーチング１６をこのタイル２１の床の高さに合わせて設置するが、グレーチング１６の設置に際してグレーチング受枠９を配設し、このグレーチング受枠９にグレーチング１６を収める。
【００３８】
グレーチング受枠９はボルトによるネジ脚１７（４本）で支えるようにして置けばよい。
【００３９】
そしてその高さ調整はボルトによるネジ脚１７の長ナット１２に対する螺合長さを変えることで簡単に行うことができる。
【００４０】
なお、ボルトによるネジ脚１７の上端にマイナスドライバー用スリットを形成した場合には、グレーチング１６を設置する際の高さ調整は図６に示すようにグレーチング受枠９を設置した後でマイナスドライバー２６により上から行うことができる。
【００４１】
また、壁２０との隙間は図５に示すように隙間塞ぎ用調整板１８を引き出してこれで塞ぎ、その上に調整用の木材２２を置き、タイル２１を載せて、周囲と合わせる。
【００４２】
グレーチング受枠９の周囲等は目地としてタイル目地と同様の仕上を行う。
【００４３】
図８は応用例を示すもので、袖板２４をグレーチング受枠９に設け、これでグレーチング受枠９の下方の周囲を閉鎖することもできる。
【符号の説明】
【００４４】
１…浴室                      ２…建築物躯体
３…防水層                    ４…浴槽載置場
５…洗い場                    ６…壁
７…コンクリート防水下地      ８…浴槽架台
９…グレーチング受枠          １０…アングル材
１１…浴室の排水口            １２…長ナット
１３…孔                      １４…既設浴槽
１５…ドライバー              １６…グレーチング
１７…ボルトによるネジ脚      １７ａ…ボルト頭部
１８…調整板                  １９…クリップ金具
２０…壁                      ２１…タイル
２２…木材                    ２３…タイル
２４…袖板                    ２５…ナット
２６…マイナスドライバー      ２７…ルーズホール
２８…ボルト・ナット
４３…タイル                  ４４…排水口
１０１…グレーチング支持具    
１０２…支持板
１０２ａ…天板
１０２ｂ…グレーチング係止部
１０２ｃ…保持部          １０３…台座
１０４…幅保持板
【手続補正２】
【補正対象書類名】実用新案登録請求の範囲
【補正対象項目名】全文
【補正方法】変更
【補正の内容】
【実用新案登録請求の範囲】
【請求項１】
浴室改修として、浴室床の排水孔の上方にグレーチングを洗い場床のレベルと合わせて設置する場合において、アングル材により矩形に枠組んだグレーチング受枠に長ナットを下向きに突設し、この長ナットにボルトによるネジ脚を螺合させて高さ調整可能としたことを特徴とする浴室改修用グレーチングの設置装置。
【請求項２】
ボルトによるネジ脚上端にマイナスドライバー用スリットを形成し、長ナットに連通するグレーチング受枠の孔からドライバーを差し込み可能とした請求項１記載の浴室改修用グレーチングの設置装置。
【請求項３】
壁との隙間塞ぎ用調整板をグレーチング受枠からスライド可能に突出させた請求項１または請求項２記載の浴室改修用グレーチングの設置装置。